(57)【要約】  【課題】  本発明の目的は、管継手を有する金属補強プラスチック管の端末固定部において、金属帯固定リングで固定されている金属帯が経時的に緩んで金属帯固定リングから抜けてしまったり、あるいは金属帯を金属帯固定リングで固定する際に、内側のプラスチック管の表面を傷つけることのない金属補強プラスチック管の端末固定部を提供することにある。  【解決手段】  管継手を有する金属補強プラスチック管の端末固定部において、金属帯固定リングの内側には周方向に開口を有する金属帯止め輪が装着され、金属帯止め輪に設けられた金属帯引出しスリットから金属帯止め輪の内側にらせん巻きされている金属帯の端部が引き出され、かつらせん巻き方向と逆方向に折り返されて金属帯固定リングと金属帯止め輪とで押圧状態で挟持されていることを特徴とする。  【選択図】  図３
2005076876.tif 000002
【特許請求の範囲】
【請求項１】
プラスチック管の外方に金属帯がらせん巻きされてなる金属補強プラスチック管の端末の前記金属帯が除去された部分に管継手が装着され、該管継手の端部に装着された金属帯固定リングで前記金属帯が固定されかつこの金属帯固定リングは前記管継手の端部に連結されてなる金属補強プラスチック管の端末固定部において、前記金属帯固定リングの内側には周方向に開口を有する金属帯止め輪が装着され、該金属帯止め輪に設けられた金属帯引出しスリットからこの金属帯止め輪の内側にらせん巻きされている前記金属帯の端部が引き出され、かつこの引き出された金属帯の端部は金属帯のらせん巻き方向と逆方向に折り返されていて、折り返された金属帯の端部を前記金属帯固定リングと前記金属帯止め輪とで挟持しかつ押圧していることを特徴とする金属補強プラスチック管の端末固定部。
【請求項２】
プラスチック管の外方に金属帯がらせん巻きされてなる金属補強プラスチック管の端末の前記金属帯が除去された部分に管継手が装着され、該管継手の端部に装着された金属帯固定リングで前記金属帯が固定されかつこの金属帯固定リングは前記管継手の端部に連結されてなる金属補強プラスチック管の端末固定部において、前記金属帯固定リングの内側には周方向に開口を有する金属帯止め輪が装着され、該金属帯止め輪の内側または外側に前記金属帯の端部が接続されていることを特徴とする金属補強プラスチック管の端末固定部。
【請求項３】
プラスチック管の外方に金属帯がらせん巻きされてなる金属補強プラスチック管の端末の前記金属帯が除去された部分に管継手が装着され、該管継手の端部に装着された金属帯固定リングで前記金属帯が固定されかつこの金属帯固定リングは前記管継手の端部に連結されてなる金属補強プラスチック管の端末固定部において、前記金属帯固定リングはその周方向に開口を有するかまたは２つ割りになっていてかつ内側または外側には前記金属帯の端部が接続されていることを特徴とする金属補強プラスチック管の端末固定部。
【発明の詳細な説明】
【技術分野】
【０００１】
本発明は、金属帯で補強されたプラスチック管の端末固定部に関するもので、より具体的には、金属補強プラスチック管の接続端末における金属帯の端末固定部の改良に関するものである。
【背景技術】
【０００２】
従来から、例えば外径２００mm程度のプラスチック管上に、例えば布テープを巻き、さらにこの上にスチール等からなる金属帯をらせん巻きして補強し、この補強層の上に、例えば布テープを巻いた後、プラスチック製の保護シースを被覆した給水管の如き金属補強プラスチック管が知られている。
【０００３】
この種の金属補強プラスチック管同士を接続する場合は、図７に示すように接続する金属補強プラスチック管の端末部で、接続に必要な長さ分プラスチック管１を露出すべく、前述した保護シースや金属帯、そして布テープを各々必要長さ剥ぎ取る。その上でこの露出されたプラスチック管１同士に跨るように管継手が装着される。
【０００４】
図７で符号３は、管継手装着時プラスチック管１の形状が崩れないようにプラスチック管１の内側に嵌挿されるステイフナーを、符号４は管継手本体２とプラスチック管１の間隙に最初に挿入され後述するゴム製のパッキンのコールドフローを防止するための保護リングを、符号５はゴム製のパッキンを、そして符号６は押輪を各々示している。尚、押輪６と管継手本体２とは、前記パッキン５を押圧するリテーナ７を挟持した状態でボルト９及びナット１９により連結されている。
また符号８は押輪６とプラスチック管１との間に挿嵌されているロックリングで、このロックリング８はその周方向に開口を有していて、かつその内面には歯が刻み込まれており、前記ボルト９、ナット１９を締め込んでいくと、前記押輪６内面のテーパ面で押圧され、その結果この歯がプラスチック管１の外面に食い込み、プラスチック管１が管継手から軸方向に抜けるのを防止している。
ここで管継手という場合には、前記管継手本体２に加え、管継手を構成する保護リング４、ゴム製のパッキン５、押輪６、リテーナ７、ロックリング８、ボルト９及びナット１９を含むものとする。
【０００５】
また図７では図を判り易くするため、管継手の左側を省略してある。その理由は、左側のプラスチック管１も右側のものとほぼ同様に接続されているからである。また図７のプラスチック管１の中心線の上部は縦断面図を、下部は平面図を示している。
【０００６】
そして押輪６の他端には、プラスチック管１の表面にらせん巻きされている金属帯１０を、プラスチック管１上に固定する金属帯固定リング２０が装着されている。この金属帯固定リング２０はらせん巻きされている金属帯１０の端部をプラスチック管１との間に挟んで固定できるように２つ割りになっていて、両端のフランジ部分をボルト２１で締め付けることによりプラスチック管１上に装着される。しかる後この金属帯固定リング２０は、前記押輪６の端部にボルト等で連結される。
【０００７】
尚、必要により前記金属帯固定リング２０の内側に、周方向に開口を有する円筒状の金属帯止め輪が装着される場合もある。すなわちプラスチック管１の外側の金属帯１０上に金属帯止め輪が先に装着され、その上に金属帯固定リング２０が装着される。その際、金属帯止め輪は周方向に開口を有しているので、前記金属帯固定リング２０をボルト２１で締め込んでいくと縮径し、内側の金属帯１０をプラスチック管１の表面に押付け、固定する。
【０００８】
一方、別の方法として、管継手の押輪６の端部に金属帯１０の端部を直接溶接して固定する方法も知られている。
【発明の開示】
【発明が解決しようとする課題】
【０００９】
ところで図７に示す方法の場合であって、この金属補強プラスチック管が給水管であるような場合には、海中や水中にあるこの金属補強プラスチック管の管継手が波等により揺られることにより経時的に繰り返し振動を受け、その結果、金属帯固定リング２０の固定が緩み、内側の金属帯１０がその剛性により滑り抜けて緩んで、金属帯１０によるプラスチック管１の保護効果が期待できなくなる、という問題があった。
【００１０】
一方、管継手の押輪６に金属帯１０の端部を溶接する方法の場合には、作業の都合上、管継手によりプラスチック管１同士を接続した後にこの溶接作業をしなければならない。そのため溶接時金属帯１０のすぐ傍にプラスチック管１の表面が存在する。その結果、押輪６の端部に金属帯１０の端部を溶接する際、溶接棒の先がプラスチック管１の表面に触れたり、溶接時に発生する熱でプラスチック管１の表面を溶かして、傷を付けてしまう、という問題があった。
【００１１】
前記問題に鑑み本発明の目的は、管継手を有する金属補強プラスチック管が長期に亘って使用されても経時的に金属帯固定リングで固定されている金属帯が緩んで金属帯固定リングから抜けてしまったり、あるいはまた金属帯を固定する際に、内側のプラスチック管の表面を傷つけることのない金属補強プラスチック管の端末固定部を提供することにある。
【課題を解決するための手段】
【００１２】
前記目的を達成すべく本発明の請求項１記載のものは、プラスチック管の外方に金属帯がらせん巻きされてなる金属補強プラスチック管の端末の前記金属帯が除去された部分に管継手が装着され、該管継手の端部に装着された金属帯固定リングで前記金属帯が固定されかつこの金属帯固定リングは前記管継手の端部に連結されてなる金属補強プラスチック管の端末固定部において、前記金属帯固定リングの内側には周方向に開口を有する金属帯止め輪が装着され、該金属帯止め輪に設けられた金属帯引出しスリットからこの金属帯止め輪の内側にらせん巻きされている前記金属帯の端部が引き出され、かつこの引き出された金属帯の端部は金属帯のらせん巻き方向と逆方向に折り返されていて、折り返された金属帯の端部を前記金属帯固定リングと前記金属帯止め輪とで挟持しかつ押圧していることを特徴とするものである。
【００１３】
このようにしてなる本発明の請求項１記載の金属補強プラスチック管の端末固定部によれば、金属帯固定リングの内側には周方向に開口を有する金属帯止め輪が装着され、該金属帯止め輪に設けられた金属帯引出しスリットからこの金属帯止め輪の内側にらせん巻きされている前記金属帯の端部が引き出されていて、かつこの引き出された金属帯の端部は金属帯のらせん巻き方向と逆方向に折り返されている。そして折り返された金属帯の端部を前記金属帯固定リングと前記金属帯止め輪とで押圧状態で挟持しているため、仮にこの管継手を有する金属補強プラスチック管が海中や水中にあって、波による振動等を受け続けても、簡単には金属帯が金属帯固定リングから滑り抜けることがなくなる。それ故、長期にわたって確実に金属帯を管継手の端部に固定でき、よってこの金属帯によるプラスチック管の保護が長期間確実に行える。
【００１４】
またこの発明によれば金属帯の固定に際して溶接作業を必要としないため、溶接作業によってプラスチック管の表面を溶かして傷つける、という心配もなくなる。
【００１５】
また請求項２記載の本発明の金属補強プラスチック管の端末固定部は、プラスチック管の外方に金属帯がらせん巻きされてなる金属補強プラスチック管の端末の前記金属帯が除去された部分に管継手が装着され、該管継手の端部に装着された金属帯固定リングで前記金属帯が固定されかつこの金属帯固定リングは前記管継手の端部に連結されてなる金属補強プラスチック管の端末固定部において、前記金属帯固定リングの内側には周方向に開口を有する金属帯止め輪が装着され、該金属帯止め輪の内側または外側に前記金属帯の端部が接続されていることを特徴とするものである。
【００１６】
このようにしてなる請求項２記載の発明によれば、周方向に開口を有する金属帯止め輪を使用しているため、例えば予めこの金属帯止め輪の内側または外側に金属帯の端部を溶接等して接続しておき、しかる後この金属帯止め輪を、その開口を大きく開いてプラスチック管に被せて管継手の押輪のすぐ傍に装着できる。すなわち、プラスチック管の表面とは離れた場所で金属帯の端部を金属帯止め輪の内側または外側に溶接できるので、溶接作業の際、プラスチック管の表面を溶接の熱で溶かして傷つける、といった恐れがなくなる。
【００１７】
しかも金属帯の端部は金属帯止め輪の内側または外側に接続により、例えば溶接により固定されているため、仮にこの管継手を有する金属補強プラスチック管が海中や水中にあって、波による振動等を受け続けても、簡単には金属帯が金属帯止め輪から、そして結果的に金属帯固定リングから、滑り抜けることがなくなる。
それ故、長期間にわたって確実に金属帯を管継手の端部に固定でき、金属帯によるプラスチック管の保護が長期間保障できる。
【００１８】
また請求項３記載の本発明の金属補強プラスチック管の端末固定部は、プラスチック管の外方に金属帯がらせん巻きされてなる金属補強プラスチック管の端末の前記金属帯が除去された部分に管継手が装着され、該管継手の端部に装着された金属帯固定リングで前記金属帯が固定されかつこの金属帯固定リングは前記管継手の端部に連結されてなる金属補強プラスチック管の端末固定部において、前記金属帯固定リングはその周方向に開口を有するかまたは２つ割りになっていてかつその内側または外側には前記金属帯の端部が接続されていることを特徴とするものである。
【００１９】
このようにしてなる請求項３記載の発明によれば、金属帯固定リングの内側または外側に金属帯の端部を接続する際、プラスチック管とは離れた場所で溶接等接続作業ができる、等々前述した請求項２記載の発明による類似の効果に加えて、前記請求項２記載の発明では必要であった金属帯止め輪が不要になる分、作業性も容易で、かつコストの低減も図ることができる。
【発明の効果】
【００２０】
前述したように、本発明の金属補強プラスチック管の端末固定部によれば、管継手を有する金属補強プラスチック管が長期に亘って使用されても経時的に金属帯固定リングで固定されている金属帯が緩んで金属帯固定リングから抜けてしまったり、あるいはまた金属帯を固定する際に、内側のプラスチック管の表面を傷つけることのない金属補強プラスチック管の端末固定部を提供することができる。
【発明を実施するための最良の形態】
【００２１】
以下に本発明の実施例を図を用いて詳細に説明する。
【実施例１】
【００２２】
図１〜図３に本発明の請求項１記載の金属補強プラスチック管の端末固定部の一実施例（第一実施例）を示す。因みに図１は金属補強プラスチック管の端末固定部の中心線上部の縦断面図を示し、下部は省略してある。
また図１においては、前述した図７に示す従来のものと同じ部品には同じ番号を付して、詳細な説明は簡単にし、主として本発明の特徴について詳細に述べることにする。
【００２３】
図１において、ステイフナー３、保護リング４、ゴム製のパッキン５、押輪６、リテーナ７、ロックリング８そして前記押輪６を管継手本体２に連結するボルト９及びナット１９は基本的に図７に示す従来のものと同じである。
図１が示す本発明の金属補強プラスチック管の端末固定部の特徴は、金属帯固定リング２０の内側に装着される金属帯止め輪３０にある。
【００２４】
この金属帯止め輪３０の特徴は、図２が示すように、その周方向に開口３１を有しており、さらに後述するようにこの金属帯止め輪３０の内側に位置する金属帯１０の端部を金属帯止め輪３０の外側に引き出す金属帯引出しスリット３２が設けられている点にある。
ここで、金属帯引出しスリット３２は、図２が示すような一端が開口したスリットに限定されるものではなく、金属帯１０の幅以上の長さを有する穴であってもよい。すなわちここでいうスリットとは金属帯１０を金属帯止め輪３０の外側に引き出すことのできる切り欠きであって、図２のような形状であってもよいし、また穴であってもよいものとする。
この金属帯引出しスリット３２から金属帯止め輪３０の外側に引き出された金属帯１０の引き出し端部１１は、図２の想像線や後述する図３が示すように、金属帯１０がプラスチック管１上にあってらせん巻きされている方向とは逆方向に折り返される。
【００２５】
図３は、図１におけるＡ−Ａ線断面を矢印方向から見た横断面図である。図３が示すように、内部にプラスチック管１の形状保護のために嵌挿されたステイフナー３を有するプラスチック管１の接続端部上に金属帯１０がらせん巻きされていて、その上に金属帯止め輪３０が装着され、さらにその上に金属帯固定リング２０が装着されている。
尚、金属帯止め輪３０は開口３１を開くことによりプラスチック管１上に被せられ装着することもできるし、予めプラスチック管１に通しておき、プラスチック管１に管継手を装着後、押輪６の傍に移動して所定位置に装着することもできる。
【００２６】
そして前記金属帯１０の端部は、図２の想像線が示すように金属帯止め輪３０の金属帯引出しスリット３２から金属帯止め輪３０の外側に引き出され、プラスチック管１上にらせん巻きされていた方向とは逆方向に折り返されて引き出し端部１１を形成している。
そして図３において、２つ割りされている金属帯固定リング２０のフランジ２２に設けられているボルト穴にボルト（共に図示を省略してある）を通し、これを締め込むことにより、金属帯固定リング２０をプラスチック管１の表面に押圧状態で固定すれば、金属帯止め輪３０には開口３１があるため、この金属帯止め輪３０は縮径し、プラスチック管１の表面に押圧状態で固定される。その結果、金属帯１０の引き出し端部１１は金属帯固定リング２０と金属帯止め輪３０との間に押圧状態で挟持され確実に固定される。
【００２７】
尚、この金属帯固定リング２０は、図１に示すように押輪６の端部にボルト４０により連結され、プラスチック管１上で回転しないようになっている。それ故、金属帯固定リング２０が回転して、その結果金属帯１０が緩む恐れもない。
【００２８】
このように金属帯１０の端部をらせん巻きされていた方向とは逆方向に折り返して引き出し端部１１を形成し、これを金属帯固定リング２０と金属帯止め輪３０とで押圧して挟持しているため、仮にこの金属補強プラスチック管の端末固定部が水中や海中にあって振動を繰り返し受けても、金属帯１０の端部が金属帯固定リング２０から簡単に外れることはない。よって長期間に亘って確実に金属帯１０を管継手端部に固定できるので、この金属帯１０によるプラスチック管１の保護を長期間確実に行える。
またこの方法では溶接作業を必要としないので、プラスチック管１の表面を溶接熱等で傷つけることもない。
【００２９】
尚、図３において金属帯固定リング２０は２つ割りタイプで、両端のフランジ２２に設けたボルト穴にボルトを通してこれを締め付けるものであるが、図２の金属帯止め輪３０のように開口が一箇所のものであってもよい。すなわちフランジ２２が一箇所のものであってもよい。またこれ以外にも後述する請求項２記載の発明の実施例で説明する金属帯固定リング２０のように、押輪６の端部外周に雄ネジを設けておき、これに螺合する雌ネジをこの金属帯固定リング２０の内側に設けておいて、金属帯固定リング２０を押輪６側にネジ込んで装着することにより金属帯止め輪３０及びこの金属帯止め輪３０の金属帯引出しスリット３２から引き出され、折り返されている金属帯１０の引き出し端部１１を押圧し、固定するタイプのものであってもよい。
このようにすれば金属帯止め輪３０の固定と、金属帯固定リング２０の押輪６への連結が同時に行える利点もある。
【実施例２】
【００３０】
図４〜図５は本発明の請求項２記載の金属補強プラスチック管の端末固定部の一実施例（第二実施例）を示すものである。
図４は、内部に前述したステイフナー３が嵌挿されて、外周に金属帯１０がらせん巻きされているプラスチック管１上に金属帯止め輪３０を装着した状態の横断面図を示している。金属帯１０の端部は予め溶接により金属帯止め輪３０の内面（内側）に接続されていて、溶接完了後開口３１を開いてプラスチック管１に被せられる。
【００３１】
図４のようにプラスチック管１上に金属帯止め輪３０を位置決めしたら、図５に示すように予め管継手の押輪６側表面に設けておいた雄ネジに螺合する雌ネジをその内側に有する金属帯固定リング２０を締め込んで、金属帯止め輪３０を金属帯固定リング２０で固定する。
【００３２】
尚、金属帯固定リング２０の押輪６側への連結は、一端が金属帯固定リング２０に連結され他端が押輪６側に連結される介在部品を介して連結されるものであってもよい。また図４、図５における金属帯止め輪３０の鍔部分をなくした形状の金属帯止め輪３０、すなわち開口付きの単なる円筒状の金属帯止め輪３０の内面に、金属帯１０の端部を溶接し、これを前述した第一実施例で示した形状の金属帯固定リング２０で締め込んでもよい。要は内面に金属帯１０の端部を溶接した金属帯止め輪３０を押輪６近傍位置で確実に固定でき、自身が押輪６に連結されるものであれば種々の形状の金属帯固定リング２０が採用できる。
いずれにせよ金属帯固定リング２０が管継手側の押輪６に連結されることにより、金属帯固定リング２０がプラスチック管１上で回転し、金属帯１０が緩む恐れがなくなる。
【００３３】
前記図４〜図５に示したものは、金属帯止め輪３０の内面に、金属帯１０の端部を溶接したものであるが、金属帯止め輪３０の外面（外側）に、金属帯１０の端部を溶接したものであってもよい。
この場合、前述した図２のように予め金属帯止め輪３０に金属帯引出しスリット３２を設けておいて、この金属帯引出しスリット３２から、この金属帯止め輪３０の内側にらせん巻きされている金属帯１０の端部を金属帯止め輪３０の外側へと引き出し、金属帯止め輪３０の外面にこの端部を溶接してもよい。
また前記各実施例では金属帯１０の端部を溶接により金属帯止め輪３０の内面または外面に接続しているが、接続方法はこれに限るものではなく、ビス止めや接着剤による接続でもよい。
【００３４】
以上述べたように請求項２記載の発明によれば、金属帯止め輪３０の内面または外面へ金属帯の端部を、例えば溶接しているものの、溶接作業をプラスチック管１の表面とは離れた場所で行えるため、溶接時の熱や溶接棒等でプラスチック管１の表面を溶かしたり、傷つけたりする心配がない。しかも金属帯１０の端部は溶接等で金属帯止め輪３０の内面または外面に接続されているので、簡単には金属帯止め輪３０の内面または外面から剥がれることはない。
よって金属補強プラスチック管の端末固定部が波の影響で振動を受けることがあっても金属帯１０が金属帯止め輪３０から外れて緩むことがなく、長期にわたって金属帯１０によるプラスチック管１の端末部の保護が可能になる。
【実施例３】
【００３５】
次に図６により本発明の請求項３記載の金属補強プラスチック管の端末固定部の一実施例（第三実施例）を説明する。尚、図６は図３と同じ方向からみた横断面図である。
図６に示すものは、金属帯固定リング２０の内面（内側）に金属帯１０の端部１１を溶接等により直接接続したものである。この例では金属帯固定リング２０は２つ割りタイプのもので、両側のフランジ部２２に設けたボルト孔にボルトを通し、これをナットとで締め込みプラスチック管１上に固定する。
尚、金属帯固定リング２０としては、図示の２つ割りタイプに限らず、その周方向に開口を有するものであってもよい。その場合、開口部に各々フランジを形成し、このフランジに設けた孔にボルトを通し、これをナットと共に締め込んでプラスチック管１上に固定する。
【００３６】
図６に示す本発明の請求項３記載の金属補強プラスチック管の端末固定部の場合、金属帯固定リング２０の内面への金属帯１０の端部の接続作業、例えば溶接作業をプラスチック管１とは離れた場所ででき、それ故、プラスチック管１の表面を傷付けない、といった前述した第二実施例の効果に加え、第二実施例に比して金属帯止め輪３０が不要になる分、作業に必要な部品点数が減る。その結果、接続作業が容易になり、コストの低減も図ることができる。
【００３７】
また図６に示す実施例では金属帯１０の端部１１を金属帯固定リング２０の内面に接続したが、図２に示したような金属帯引き出しスリットをこの金属帯固定リング２０にも設け、このスリットから金属帯１０の端部を外側に引き出し、金属帯固定リング２０の外面上（外側）に溶接等により接続してもよい。
【図面の簡単な説明】
【００３８】
【図１】本発明の一実施例を示す半断面図である。
【図２】図１に示す本発明の第一実施例に使用される金属帯止め輪の拡大斜視図である。
【図３】図１のＡ−Ａ線における断面を矢印方向からみた本発明の第一実施例を示す横断面図である。
【図４】本発明の第二実施例を示すもので、プラスチック管上に金属帯止め輪を装着した状態を示す横断面図である。
【図５】本発明の第二実施例を示すもので、管継手端部の縦断面図である。
【図６】本発明の第三実施例を示すもので、管継手端部の横断面図である。
【図７】従来の金属補強プラスチック管の端末固定部を示す一部切開平面図である。
【符号の説明】
【００３９】
１  プラスチック管
２  管継手本体
６  押輪
１０  金属帯
１１  引き出し端部  
２０  金属帯固定リング
３０  金属帯止め輪
３１  開口
３２  金属帯引出しスリット
【図１】
2005076876.tif 000003
【図２】
2005076876.tif 000004
【図３】
2005076876.tif 000005
【図４】
2005076876.tif 000006
【図５】
2005076876.tif 000007
【図６】
2005076876.tif 000008
【図７】
2005076876.tif 000009